(57)【要約】      （修正有）【課題】スライドファスナーのスライダーの引手にしっかりと取り付けることができ、途中で外れることもないスライドファスナー開閉具を提供する。【解決手段】スライドファスナーＳＦのスライダーの引手ｓｆ３に着脱自在に取り付け可能な取付部１０と、取付部１０に連結される把持部２０とを備え、取付部１０は一端側が互いに接離する方向に揺動可能に連結される第一部材１１と第二部材１２と、その一端側が互いに接する方向に付勢する付勢手段とを有し、第一部材１１の一端側には第二部材１２の方向に突出する突起１１ｅが設けられており、突起１１ｅはスライダーの引手ｓｆ３に設けられている孔に挿入可能である。【選択図】図２
0003158154.tif 000002
【実用新案登録請求の範囲】
【請求項１】
スライドファスナーのスライダーの引手に着脱自在に取り付け可能な取付部と、当該取付部に連結される把持部とを備えるスライドファスナー開閉具において、
前記取付部は一端側が互いに接離する方向に揺動可能に連結される第一部材と第二部材と、当該第一部材と第二部材の一端側が互いに接する方向に付勢する付勢手段とを備え、
当該第一部材の当該一端側には当該第二部材の方向に突出する突起が設けられており、当該突起は前記スライダーの引手に設けられている孔に挿入可能であることを特徴とするスライドファスナー開閉具。
【請求項２】
スライドファスナーのスライダーの引手に着脱自在に取り付け可能な取付部と、当該取付部に連結される把持部とを備えるスライドファスナー開閉具において、
前記取付部は一端側が互いに接離する方向に揺動可能に連結される第一部材と第二部材と、当該第一部材と第二部材の一端側が互いに接する方向に付勢する付勢手段とを備え、
当該第一部材の当該一端側には当該第二部材の方向に突出する突起が設けられており、当該突起には前記スライダーの引手を挿入して挟む凹部が形成されていることを特徴とするスライドファスナー開閉具。
【請求項３】
前記取付部の第一部材又は第二部材には、前記スライダーの引手を所定位置に誘導するガイドが設けられていることを特徴とする請求項１又は請求項２に記載のスライドファスナー開閉具。
【請求項４】
前記把持部は長さが調整可能であることを特徴とする請求項１乃至請求項３のいずれか一項に記載のスライドファスナー開閉具。
【請求項５】
衣類の背中に設けたスライドファスナーを開閉するために使用されること特徴とする請求項１乃至請求項４のいずれか一項に記載のスライドファスナー開閉具。
【考案の詳細な説明】
【技術分野】
【０００１】
本考案は、例えば衣服の背中側にあるスライドファスナーのように、開閉操作が困難な位置にあるスライドファスナーの開閉操作を補助するスライドファスナー開閉具に関する。
【背景技術】
【０００２】
衣服などの開閉部分にはボタンやホックの他に、スライドファスナーが広く使用されている。スライドファスナーは、１対のテープの互い対向する側縁に多数の金属製あるいはブラスチック製の爪を固定し、両テープの爪を交互に噛み合わせることにより両テープを締結する留具であり、両側の爪を跨ぐスライダーの引手を引っ張ってスライダーを爪の並ぶ方向に滑らせることにより開閉される。
【０００３】
スライダーは両テープの爪を噛み合わせる本体部と、本体部をスライドさせる引手とを備える。使用時には、この引手を把持して本体部をスライドさせ、スライドファスナーを開閉させる。この引手には様々な形状のものがあるが、衣服には平型とブローチ型が多く用いられている。平型の引手は板状部材の先端側に孔が設けられているものが多く、ブローチ型の引手は中央や先端側が膨らんだ断面略楕円形状（ラグビーボール形、茄子形など）のものが多く用いられている。
【０００４】
ところで、衣服などには開閉操作が困難な位置にスライドファスナーを有するものがある。たとえば、女性用のドレスのようにスライドファスナーが背中側にある場合、着用者はスライドファスナーを開けて衣服を着用した後に、背中側に位置するスライダーを下から上に引き上げてスライドファスナーを閉じる。その際、着用者は手を背中側に回すなどしてスライダーを引き上げなければならず、操作が非常に困難である。このため、他の人にファスナー上げを手伝ってもらうことも多くある。
【先行技術文献】
【特許文献】
【０００５】
【特許文献１】特開２００１−２５８６１４号公報
【０００６】
このような状況に鑑み、従来から、スライドファスナーの開閉具が提案されている。この開閉具は、スライダーの引手に着脱自在に取り付けられるクリップやフック等の取付部を有し、取付部に連結されている紐を引き上げることにより、スライドファスナーを開閉することが可能となっている。たとえば、上記特許文献１には、互いに開閉揺動可能に接合される作用腕を有する１対の部材と両部材を閉方向に付勢する付勢手段を備えるクリップに紐が取り付けられたジッパー開閉パート具が開示されている。使用時にはスライダーのホック（引手）をクリップで挟み、紐を引っ張ることでジッパー（スライドファスナー）を閉じる。
【考案の概要】
【考案が解決しようとする課題】
【０００７】
このようなスライドファスナーの開閉具は、操作時にスライダーの引手から外れないように、引手にしっかりと取り付けられることが重要である。上記特許文献１では、引手の抜け出し防止を目的としてクリップの先端縁から両側縁にわたって突条部が設けられている。しかしながら、これでは引手の抜け出しを確実に防止することはできない。すなわち、引用文献１（段落番号００１３）には、茄子形の引手（ホック）がスライダー本体にリングを介して連結されている場合、そのリングの部分がこの突条部に挟まれて抜け出し防止となると記載されているが、引手はリングを介さずにスライダー本体に直接連結されている場合も多く、このような場合は突条部が引手の途中を挟むこととなり、紐を引っ張るとクリップは茄子形の引手の形に添って滑るように外れてしまう。また、引手が平型の場合は、スライダー本体に直接連結されるものが多く、又、引手は板状であるため、突条部が引っかかる箇所もなく、まったく効果がない。
【０００８】
そこで本考案の目的は、スライドファスナーのスライダーの引手にしっかりと取り付けることができ、途中で外れることもないスライドファスナー開閉具を提案することにある。
【課題を解決するための手段】
【０００９】
本考案のスライドファスナー開閉具は、スライドファスナーのスライダーの引手に着脱自在に取り付け可能な取付部と、当該取付部に連結される把持部とを備えるスライドファスナー開閉具において、前記取付部は一端側が互いに接離する方向に揺動可能に連結される第一部材と第二部材と、当該第一部材と第二部材の一端側が互いに接する方向に付勢する付勢手段とを備え、当該第一部材の当該一端側には第二部材の方向に突出する突起が設けられており、当該突起は前記スライダーの引手に設けられている孔に挿入可能であることを特徴とする。
【００１０】
この考案のスライドファスナー開閉具は、スライダーの引手に孔が設けられているスライドファスナーの開閉補助に使用されるものである。取付部の第一部材と第二部材は付勢手段により一端側が互いに接する方向に付勢された状態であるため、第一部材の突起は第二部材に当接した状態となる。スライドファスナーに取り付けるに際しては、スライダーの引手を第一部材と第二部材の間に滑り込ませる等して、付勢手段の付勢力に抗して第一部材と第二部材の一端側を開状態としながら、引手の孔を第一部材に設けられる突起の下に位置させると、付勢手段の付勢力により突起は引手の孔に挿入されるとともに第二部材に当接した状態に戻る。これにより、取付部は引手にしっかりと取り付けられる。この状態にて、把持部を把持して取付部を引っ張ることにより、スライドファスナーが開閉される。取付部は第一部材の突起が引手の孔に挿入された状態にて付勢手段により第二部材に当接しているため、引っ張っても引手から外れることはない。
【００１１】
また、本考案のスライドファスナー開閉具は、スライドファスナーのスライダーの引手に着脱自在に取り付け可能な取付部と、当該取付部に連結される把持部とを備えるスライドファスナー開閉具において、前記取付部は一端側が互いに接離する方向に揺動可能に連結される第一部材と第二部材と、当該第一部材と第二部材の一端側が互いに接する方向に付勢する付勢手段とを備え、当該第一部材の当該一端側には第二部材の方向に突出する突起が設けられており、当該突起には前記スライダーの引手を挿入して挟む凹部が形成されていることを特徴とする。
【００１２】
この考案のスライドファスナー開閉具は、例えば中央や先端側が膨らんだ断面略楕円形状（ラグビーボール形、茄子形など）の引手を有するスライドファスナーの開閉補助に使用されるものである。第一部材には突起が設けられており、その突起には凹部が形成されている。スライダーの引手に取付部を取り付ける際には、突起の凹部に引手を挿入するようにして第一部材と第二部材の間に押し入れる等して、付勢手段の付勢力に抗して第一部材と第二部材の一端側を開状態としながら、引手の中央や先端部側の膨らんだ部分が突起よりも奥側となるように位置させると、付勢手段の付勢力により突起が第二部材に当接した状態に戻る。たとえ引手の途中に突起が位置したとしても、凹部が引手を跨ぐ状態となり、突起と第二部材の当接が阻害されることがなく、取付部が引手にしっかりと取り付けられる。この状態にて把持部を把持して取付部を引っ張るとスライドファスナーが開閉されるが、引手の膨らんだ部分が凹部を通過せずに引っかかることから、取付部が引手から外れることはない。
【００１３】
前記取付部の第一部材又は第二部材には、前記スライダーの引手を所定位置に誘導するガイドが設けられていることが好ましい。本考案のスライドファスナー開閉具は、取付部を引手に取り付ける際に、引手の孔を突起に位置合わせしたり、突起の凹部に引手を挿入するように位置させたりするが、この考案によれば第一部材又は第二部材に設けられるガイドにより引手がそれらの所定位置に誘導されるため、取り付け作業が容易となる。
【００１４】
前記把持部は長さが調整可能であることが好ましい。この考案によれば、把持部は長さが調整可能であるため、必要に応じて把持部を適当な長さにすることができる。たとえば、使用時には把持部を伸長させて使用しやすい長さとし、収納するときは把持部を縮めてコンパクトにまとめることができる。
【考案の効果】
【００１５】
本考案の請求項１記載のスライドファスナー開閉具によれば、引手に孔を有するスライドファスナーに使用すると、取付部の突起が引手の孔に挿入され、その状態にて付勢手段により突起が第二部材に当接した状態となる。
また、本考案の請求項２記載のスライドファスナー開閉具によれば、引手の中央や先端部側に膨らみを有するスライドファスナーに使用すると、取付部の突起に凹部が設けられていることから、たとえ引手の途中に突起が位置したとしても、その凹部が引手を跨ぐ状態となり、突起と第二部材の当接が阻害されることはなく、引手の膨らみ部分が突起に引っかかって凹部から抜けることもない。
したがって、本考案のスライドファスナー開閉具によれば、スライドファスナーにしっかりと取り付けることができ、使用途中に取付部が引手から外れることもない。このため、女性のドレスのような衣類の背中側に配されるスライドファスナーの開閉操作をする場合に特にその効果を発揮する。
【図面の簡単な説明】
【００１６】
【図１】本考案の第一の実施の形態のスライドファスナー開閉具を示す斜視図である。
【図２】上記実施の形態のスライドファスナー開閉具とスライドファスナーの関係を説明する説明図である。
【図３】上記実施の形態のスライドファスナー開閉具の取付部の分解斜視図である。
【図４】上記実施の形態のスライドファスナー開閉具の取付部の断面図である。
【図５】上記実施の形態のスライドファスナー開閉具の取付部を説明する図であり、（ａ）は取付部の第一部材の内側面を説明する説明図であり、（ｂ）は取付部の第二部材の内側面を説明する説明図である。
【図６】上記実施の形態のスライドファスナー開閉具の使用例を説明する説明図である。
【図７】上記実施の形態のスライドファスナー開閉具の使用時における状態を説明する説明図であり、（ａ）は引手に取付部を取り付けた状態を説明する説明図、（ｂ）は引手を取り外すときの状態を説明する説明図である。
【図８】上記実施の形態のスライドファスナー開閉具のガイドの他の例を示す斜視図である。
【図９】第二の実施の形態のスライドファスナー開閉具を説明する説明図であり、（ａ）は取付部の断面を示した図であり、（ｂ）は取付部の一端側の部分の拡大斜視図である。
【図１０】上記実施の形態のスライドファスナー開閉具とスライドファスナーの関係を説明する説明図である。
【図１１】上記実施の形態のスライドファスナー開閉具の取付部を説明する説明図であり、（ａ）は第一部材の内側面、（ｂ）は第二部材の内側面を説明する説明図である。
【図１２】上記実施の形態のスライドファスナー開閉具の使用時における状態を説明する説明図であり、（ａ）は引手に取付部を取り付けた状態を説明する説明図、（ｂ）は引手を取り外すときの状態を説明する説明図である。
【図１３】上記実施の形態のスライドファスナー開閉具の取付部の一方側の状態を説明する遷移図である。
【考案を実施するための最良の形態】
【００１７】
（第一の実施の形態）
本実施の形態のスライドファスナー開閉具１００は、衣服の背中側などのように、手の届き難い位置にあるスライドファスナーＳＦの開閉を補助するものである。図１は、スライドファスナー開閉具１００を示す斜視図であり、図２はスライドファスナー開閉具１００とスライドファスナーＳＦの関係を説明する説明図である。スライドファスナー開閉具１００は、スライドファスナーＳＦのスライダーの引手ｓｆ３に着脱自在に取り付け可能な取付部１０と、取付部１０に連結される把持部２０とを備える。
【００１８】
取付部１０は、本体となる第一部材１１と第二部材１２、及び、付勢手段１３とを備ええる。図３は取付部１０の分解斜視図であり、図４はその断面図であり、図５は（ａ）が第一部材の内側面、（ｂ）が第二部材の内側面を説明する説明図である。
【００１９】
第一部材１１と第二部材１２は、一端側が互いに接離する方向に揺動可能に連結されている。詳細には、第一部材１１及び第二部材１２の内側面の溝１１ａ，１２ａにクリップＣＬが埋設されており、両部材１１，１２はクリップＣＬを介して揺動可能に連結されている。すなわち、クリップＣＬは、バネで付勢された回転軸ｃを介して作用腕１１ｂ，１２ｂが揺動可能に連結されており、第一部材１１の溝１１ａには作用腕１１ｂが、第二部材１２の溝１２ａには作用腕１２ｂが埋設され、これにより第一部材１１と第二部材１２が回転軸ｃを中心に揺動可能となっている。第一部材１１と第二部材１２の他端側には回転軸ｃの側から外側に向かって間隔が広くなるように傾斜面１１ｄ、１２ｄが設けられている。
【００２０】
付勢手段１３は、第一部材１１と第二部材１２の一端側（図４中の矢印Ａが示す側）が互いに接する方向に付勢する機能を有するものであり、本実施の形態では、その方向に付勢するように回転軸ｃに設けられるバネである。これにより、取付部１０は常に一端側が閉じようとする力が働くこととなる。なお、付勢手段１３はバネに限るものでなく、例えば、第一部材１１と第二部材１２の一端側を互いに引き寄せるように所定箇所に取り付けた可逆性部材（ゴムや樹脂等）でも良く、その機能を果すものであればどのようなものでも良い。
【００２１】
第一部材１１の一端側には第二部材１２の方向に突出する突起１１ｅが設けられている。本実施の形態では、突起１１ｅは第一部材１１の内側面、すなわち第二部材１２と対向する面の一端側に設けられている。突起１１ｅは、スライドファスナーＳＦのスライダーの引手ｓｆ３に設けられている孔（図２参照）ｅに挿入可能な爪状のものであり、引手ｓｆ３の侵入方向に沿って奥側に傾斜している。
【００２２】
第二部材１２には突起１１ｅに対応する位置に凹部１２ｆが設けられている。なお、この凹部１２ｆは設けなくともよいが、突起１１ｅの先端が凹部１２ｆに嵌め込まれることにより、引手ｓｆ３の孔ｅから突起１１ｅが抜けにくくなる点で有効である。
【００２３】
さらに、スライドファスナー開閉具１００には、スライドファスナーＳＦの引手ｓｆ３を所定位置に誘導するガイド１４が設けられている。ガイド１４は、本実施の形態では、第二部材１２の一端側に設けられるリングであり、スライドファスナーＳＦの引手ｓｆ３をこのガイド１４に挿入することで、引手ｓｆ３の孔eが突起１１ｅの下に位置するように誘導される。ガイド１４はこれに限るものではなく、例えば、図８に示すように、第一部材１１の先端に二つの突起１４ａ，１４ｂを設け、その間に引手ｓｆ３を通過させることで誘導するものであっても良い。なお、ガイド１４は設けなくても良いが、取付部１０をスライドファスナーＳＦの引手ｓｆ３に取り付ける作業が容易となる点で設けたほうが好ましい。
【００２４】
把持部２０は、スライドファスナーＳＦを開閉するときに使用者が把持する部分である。本実施の形態では、長さが調整可能な棒状体２１、及び、棒状体２１と取付部１０とを連結する紐状体２２とから構成されており、紐状体２２の一端が第二部材１２に貫通されて取り付けられている。棒状体２１は、段階的に径の異なる複数本のエレメントパイプを入れ子式に組み合わせて径順に摺動可能に嵌合した伸縮式のものであり、長さが自在に調整可能となっている。紐状体２２はチェーンであるが、例えば組紐や革紐のようなロープ等でも良い。取付位置はこれに限られるものではなく、第一部材１１に取り付けても良い。また、紐状体２２を用いずに棒状体２１を取付部１０に直接取り付けても良いが、紐状体２２により把持部１０の動きの自由度が高まる点で好ましい。また、把持部２０を紐状のものとし、巻き取り式のケースから必要な長さだけ引き出して長さを調整可能としても良いが、棒状体２１とすることで背中側のように視線が届かない場合でも絡み等の心配がなく、手探りで把持しやすいことから好ましい。
【００２５】
以下、スライドファスナー開閉具１００の使用態様について説明する。なお、本実施の形態では、背中にスライドファスナーＳＦを有する女性用ドレスに用いた場合を例に説明する。図６は、使用例を説明する説明図である。図７は使用時におけるスライドファスナー開閉具１００の状態を説明する説明図であり、（ａ）は引手ｓｆ３に取付部１０を取り付けた状態を説明する説明図、（ｂ）は引手ｓｆ３を取り外すときの状態を説明する説明図である。使用者は、衣服を着用する前に、スライドファスナー開閉具１００を引手ｓｆ３に取り付ける。スライドファスナーＳＦは、爪が並んだ一対のテープｓｆ１と、爪を噛み合わせるスライダーｓｆ２と、スライダーｓｆ２を引っ張るための引手ｓｆ３を有し、引手ｓｆ３には小孔eが設けられている。取付に際しては、引手ｓｆ３を取付部１０のガイド１４に挿入して第一部材１１と第二部材１２との間に押し込むようにする。引手ｓｆ３は第一部材１１の一端側に設けられた突起１１ｅを押し上げながらその下に滑り込むように押し込まれ、引手ｓｆ３の孔eが突起１１ｅの下に位置すると、付勢手段１３の付勢力により突起１１ｅが引手ｓｆ３の孔eに挿入されるとともに突起１１ｅの先端が第二部材１２に当接した状態に戻る。これにより、取付部１０が引手ｓｆ３にしっかりと取り付けられる。さらに、本実施の形態では、突起１１ｅの先端が第二部材１２の凹部１２ｆに嵌め込まれた状態となり、引手ｓｆ３の孔eが突起１１ｅから更に外れにくくなることから、非常に効果的である。さらに、本実施の形態では、突起１１ｅが引手ｓｆ３の侵入方向に沿って奥側に傾斜していることから、取付部１０を引っ張ったときに引手ｓｆ３が突起１１ｅに引っかかり易く、更に外れにくくなっている。
【００２６】
ここで、使用者は引手ｓｆ３に取付部１０を取り付ける際に、引手ｓｆ３をガイド１４に挿入すれば、引手ｓｆ３の孔eが突起１１ｅの下に位置するように誘導されるため、このガイド１４により取り付け作業が非常に容易となっている。
【００２７】
つぎに、使用者は衣服を着用し、図６に示すように、把持部２０を把持して引き上げる。これによりスライドファスナーＳＦのスライダーｓｆ２が引き上げられ、スライドファスナーＳＦを閉じることができる。取付部１０はスライファスナーＳＦの引手ｓｆ３にしっかりと取り付けられているため、引き上げの途中で外れることもない。
【００２８】
その後、使用者はスライドファスナー開閉具１００を引手ｓｆ３から取り外す。詳しくは、図７（ｄ）に示すように、取付部１０の他端側（図７（ｂ）中のＢの側）を摘んで押すことにより、両部材１１，１２の一端側（図７（ｂ）中のＡの側）を離れる方向に揺動させる。両部材１１，１２は一端側が離れる方向に揺動して開状態となり、引手ｓｆ３の孔eから突起１１ｅが外れる。これにより、使用者はスライドファスナー開閉具１００を引手ｓｆ３から取り外すことができる。
【００２９】
また、使用者は必要に応じて把持部２０の長さを調節する。把持部２０の棒状体２１は径順に摺動可能に嵌合した入れ子構造の伸縮式であり、両端を長手方向に引っ張ったり押したりすることで、全体の長さを調整することができる。たとえば、取付部１０を引手ｓｆ３に取り付けるときは、把持部２０を短くしておく。これにより、取り付け作業時に把持部１０が邪魔にならない。そして、衣服の着用前に把持部１０を伸長させ、着用後に使用者が把持部２０を把持しやすいようにしておく。その状態にて把持部２０を引き上げ、スライドファスナーＳＦを閉じる。これにより、引手ｓｆ３を引き上げる操作が非常に容易となる。スライドファスナーＳＦを閉じ終わった後は取付部１０を引手ｓｆ３から外し、把持部１０を短くして収納ケースやバッグ等に収納する。これにより把持部２０をコンパクトにまとめることができ、収納や持ち歩きに非常に便利である。また、把持部２０は紐状体２２を介して棒状体２１が取付部１０に連結されているため、棒状体２１の動きの自由度が高く、作業が非常に容易である。
【００３０】
（第二の実施の形態）
本実施の形態のスライドファスナー開閉具２００は、特に、例えば中央や先端側が膨らんだ断面略楕円形状（ラグビーボール形、茄子形など）の引手ｓｆ３を有するスライドファスナーＳＦに使用されるもので、スライドファスナーＳＦの引手ｓｆ３に孔ｅがないものでも適用可能にするものである。図９はスライドファスナー開閉具２００を説明する説明図であり、（ａ）は取付部１０の断面を示した図であり、（ｂ）は取付部１０の一端側の部分の拡大斜視図である。図１０は、取付部１０とスライドファスナーＳＦの関係を説明する説明図である。図１１は取付部１０を説明する説明図であり、（ａ）は第一部材１１の内側面、（ｂ）は第二部材１２の内側面を説明する説明図である。上記実施の形態と同一の点については同一符号を用いて説明を省略する。
【００３１】
第一部材１１の一端側には、第二部材１２の方向に突出した突起１１ｆが設けられており、突起１１ｆには凹部１１ｇが設けられている。本実施の形態では、突起１１ｆは第一部材１１の先端に設けられており、第二部材１２の方向に屈曲した形状とすることで、第二部材１２の方向に突出させている。付勢手段１３の付勢力により取付部１０の一端側が閉状態のときに、突起１１ｆの先端は第二部材１２に当接した状態となる。凹部１１ｇの大きさは、突起１１ｆの先端が第二部材１２に当接した状態において、スライドファスナーＳＦの引手ｓｆ３を通過させない大きさである。両部材１１，１２には内側面の一端側に長手方向に沿って溝１１ｈ，１２ｈが設けられており、この溝１１ｈ、１２ｈにより形成される空間にスライドファスナーＳＦの引手ｓｆ３が収まるようになっている。
【００３２】
以下、スライドファスナー開閉具２００の使用態様について説明する。図１２は、スライドファスナー開閉具２００の使用時における状態を説明する説明図であり、（ａ）は引手ｓｆ３に取付部１０を取り付けた状態を説明する説明図、（ｂ）は引手ｓｆ３を取り外すときの状態を説明する説明図である。図１３は取付部１０の一方側の状態を説明する遷移図である。スライドファスナーＳＦの引手ｓｆ３は中央付近が膨らんだ断面略楕円形状（ラグビーボール形）のものを例に説明する。使用者はスライドファスナーＳＦの引手ｓｆ３を取付部１０のガイド１４に挿入して第一部材１１と第二部材１２の間に押し込むようにすると、図１３（ａ）に示すように、引手ｓｆ３はまず先端の細い箇所が突起１１ｆの凹部１１ｇに挿入される。そのまま奥に押し込むと、図１３（ｂ）に示すように、引手ｓｆ３は、膨らんだ太い箇所が突起１１ｆを押し上げながら溝１１ｈ，１２ｈにより形成される空間内に侵入し、突起１１ｆの下に滑り込む。更に奥に押し込むと、図１３（ｃ）に示すように、引手ｓｆ３は、中央付近の膨らんだ箇所が突起１１ｆを越え、細い箇所が凹部１１ｇに嵌まり込み、突起１１ｆの先端が第二部材１２に当接した状態に戻る。たとえ引手ｓｆ３の途中に突起１１ｆが位置したとしても、凹部１１ｇが引手ｓｆ３を跨ぐ状態となり、突起１１ｆと第二部材１２の当接が阻害されることがない。これにより、取付部１０が引手ｓｆ３にしっかりと取り付けられる。使用者が把持部２０を把持して引き上げても、引手ｓｆ３は、膨らんだ箇所が凹部１１ｇを通過することなく引っかかり、取付部１０から抜けることは無い。
【００３３】
以上のように、本考案のスライドファスナー開閉具１００，２００によれば、スライドファスナーＳＦにしっかりと取り付けることができ、使用途中に取付部１０が引手ｓｆ３から外れることもない。
【００３４】
以上、本考案のスライドファスナー開閉具は上記実施の形態に限定されるものでなく、考案の範囲内において適宜変更可能である。また、上記実施の形態では、使用態様として衣服として背中側にスライドファスナーＳＦを有する女性用のドレスを例に説明したが、これに限られるものではなく、例えば、足元から膝付近までにスライドファスナーＳＦを有するロングブーツなど、スライドファスナーＳＦを有するものであれば如何なるものでも良く、特に手の届き難い衣服などへの使用が好適である。また、本実施の形態は、第一部材１１と第二部材１２が付勢手段１３により閉じるものであるから、これを利用して、髪止めとして使用したり、ネクタイピンやブレスレットのように止めておき、スライドファスナーＳＦの開閉操作が必要なときに使用することができる。
【符号の説明】
【００３５】
１００，２００  スライドファスナー開閉具
１０            取付部
１１            第一部材
１２            第二部材
１１ａ，１２ａ  溝
１１ｂ，１２ｂ  作用腕
ｃ              回転軸
１１ｄ，１２ｄ  傾斜面
１１ｅ          突起
１１ｆ          突起
１２ｆ          凹部
１１ｇ          突起に形成される凹部
１３            付勢手段
１４            ガイド
２０            把持部
２１            棒状体
２２            紐状体
ＳＦ            スライドファスナー
ｓｆ３          引手
【図１】
0003158154.tif 000003
【図２】
0003158154.tif 000004
【図３】
0003158154.tif 000005
【図４】
0003158154.tif 000006
【図５】
0003158154.tif 000007
【図６】
0003158154.tif 000008
【図７】
0003158154.tif 000009
【図８】
0003158154.tif 000010
【図９】
0003158154.tif 000011
【図１０】
0003158154.tif 000012
【図１１】
0003158154.tif 000013
【図１２】
0003158154.tif 000014
【図１３】
0003158154.tif 000015